(57)【要約】【課題】この発明は、簡易な構成で、安定した給電を実現し得、且つ、持ち易く優れた把持操作性を実現し得るようにすることにある。【解決手段】リール本体１０の左側板部１０１との間に把持空間を持たせて該リール本体１０に対して一端部が支持されて配置され、該リール本体１０のバッテリ接続部１６に電力を供給するバッテリ３０を備えて構成した。【選択図】図１
2006280363.tif 000002
【特許請求の範囲】
【請求項１】
リール本体の側板部との間に把持空間を持たせて該リール本体に取付け配置され、前記リール本体の給電部に電力を供給するバッテリを備え、
前記バッテリは、前記リール本体に対して一端部が支持されることを特徴とする魚釣装置。
【請求項２】
前記リール本体の側板部は、前記リール本体の重心と前記バッテリの重心との間に設けられることを特徴とする請求項１に記載の魚釣装置。
【請求項３】
前記バッテリは、リール本体の側板部に併設されていることを特徴とする請求項１又は２に記載の魚釣装置。
【請求項４】
前記バッテリは、前記リール本体に対して着脱自在に装着されることを特徴とする請求項１乃至３のいずれかに記載の魚釣装置。
【請求項５】
前記バッテリは、リール本体に支持される一端部に給電部を有していることを特徴とする請求項１乃至４のいずれか１に記載の魚釣装置。
【請求項６】
把持空間はバッテリの給電部側よりも底部側の方が広くなっていることを特徴とする請求項１乃至５のいずれか１に記載の魚釣装置。
【発明の詳細な説明】
【技術分野】
【０００１】
この発明は、例えば魚釣用リールの給電部に電力を供給するバッテリを備える魚釣装置に関する。
【背景技術】
【０００２】
最近、船釣等の深場あるいは沖合いでの釣りにおいては、釣糸が巻回されるスプールを駆動用モータで駆動するいわゆる電動式の魚釣用リールが多く使用されている。このような電動リールのスプール駆動用モータに給電する手段としては、バッテリ装置を釣り位置から離れた場所に設置し、長い給電コードを用いてスプール駆動用モータの内蔵されるリール本体に設けたバッテリ接続部に対して電力を給電する方式が知られている（例えば、特許文献１及び２参照。）。
【０００３】
ところが、このような長い給電コードを介して、魚釣用リールとこれから遠く離れたバッテリ装置とを接続する場合には、長い給電コード自体が邪魔になることに加え、魚の当たりを待ったり、あるいは誘い操作や魚の取込み操作の際に、その長い給電コードで釣竿の動きが制約され、誘い操作や魚の取込み操作等を思い通りに自由に行うことができず、操作性が劣るという不都合を有する。
【０００４】
そこで、電動式魚釣用リールのスプール駆動用モータに給電する手段には、短いコードを用いて給電したり、バッテリケースを、リール本体に設け、このバッテリケースに対して電源となるバッテリを収容してスプール駆動用モータへの給電を行うように構成したものが提案されている（例えば、特許文献３参照）。
【特許文献１】特開２００２−２７６７６号公報
【特許文献２】特開平１０−２１５７３７号公報
【特許文献３】実開平５−９１３３２号公報
【発明の開示】
【発明が解決しようとする課題】
【０００５】
しかしながら、上記電動式魚釣用リールに給電する手段では、バッテリボックス内にバッテリを収容する構成上、リール本体が大型化されるうえ、リール本体を、釣姿勢に適した持ち易い状態にするのが困難なために、把持操作性が低下されるという問題を有する。
【０００６】
この発明は、上記の事情に鑑みてなされたもので、簡易な構成で、安定した給電を実現し得、且つ、持ち易く優れた把持操作性を実現し得るようにした魚釣装置を提供することを目的とする。
【課題を解決するための手段】
【０００７】
この発明の魚釣装置は、リール本体の側板部との間に把持空間を持たせて該リール本体に取付け配置され、前記リール本体の給電部に電力を供給するバッテリを備え、前記バッテリを、前記リール本体に対して一端部が支持されて配するように構成した。
【０００８】
上記構成によれば、リール本体はその側板部とバッテリとの間の把持空間に、釣り人の手をバッテリの自由端である他端部側から侵入させて把持することにより、所望の把持形態を採ることが可能となる。従って、所望の給電を受けながら、釣姿勢に応じた各種の最適な把持形態を容易に採ることができる。
【発明の効果】
【０００９】
以上述べたように、この発明によれば、リールに給電を実現し得、且つ、持ち易く優れた把持操作性を実現し得るようにした魚釣装置を提供することができる。
【発明を実施するための最良の形態】
【００１０】
以下、この発明の実施の形態について、図面を参照して詳細に説明する。
【００１１】
図１及び図２は、この発明の第１の実施の形態に係る魚釣装置を示すもので、図１はバッテリ装着状態を示し、図２はバッテリ分離状態を示す。
【００１２】
即ち、バッテリ３０を装着する電動式魚釣用リールは、リール本体１０に回転可能に支持されたスプール１１と当該スプール１１を回転駆動させる駆動機構（モータ）を備え、バッテリ３０から得た電力によって上記駆動機構（モータ）を駆動させるようになっている。電動式魚釣用リールを構成するリール本体１０には、その左及び右側板部１０１，１０２間にスプール１１（図３及び図４参照）が駆動自在に配置される。このスプール１１は、例えばリール本体１０の右側板部１０２側に配されるハンドル１２の回転操作、あるいは図示しないスプール駆動用モータの駆動力により駆動されて、釣糸の巻回が行われる。
【００１３】
また、リール本体１０には、上記スプール駆動用モータ（図示せず）及びマイクロコンピュータで構成される図示しない制御部が内装されると共に、その上面部に表示部１３及び操作部１４が設けられる。そして、このリール本体１０の下面部には、リール本体の前後方向に延びる取付脚１５が、釣竿２０のリールシート２１に対応して設けられ、この取付脚１５が釣竿２０の前後方向に沿うようにしてリールシート２１に装着されて電動式魚釣用リールが釣竿２０に取付けられる。
【００１４】
そして、リール本体１０のハンドル１２を配した右側板部１０２に対しスプール１１を介して反対側に配した側板部である左側板部１０１には、スプール１１を回動するハンドルは設けられておらず、延出部１０３が設けられ、この延出部１０３は、左側板部１０１の側面１０１ａからリール本体１０の左側方へ突出し、延出部１０３の下段には給電部を構成するバッテリ接続部１６が、その接続開口が、下向き、且つ、竿尻方向に傾斜させて突設して配置される。右側板部１０２と左側板部１０１は、フレーム１０５によって連結されているが、両側板部の一部は、フレーム１０５によって構成されているため、これを含む、スプール１１の左側と右側に立設される壁状の部分をそれぞれ右側板部１０２，左側板部１０１とする。
【００１５】
バッテリ接続部１６には、螺子部１７１の設けられた防水構造の口金部１７が設けられ、この口金部１７内には、例えば一対のピン形の凸状接続端子１７２が後述するバッテリ３０の接続コネクタ３４に対応して突設される（図２参照）。このバッテリ接続部１６の凸状接続端子１７２は、上記リール本体１０に配される制御部（図示せず）を介してスプール駆動用モータ（図示せず）及び表示部１３に電気的に接続され、該バッテリ接続部１６に対して、上記バッテリ３０の接続コネクタ３４が装着されると、詳細を後述するように接続コネクタ３４の凹状接続端子３４１に電気的に接続されて、該バッテリ３０を介して給電される。
【００１６】
ここで、バッテリ接続部１６は、その接続開口が上述したように取付脚１５の軸に対して交差される方向の下方で、且つ、竿尻方向に傾斜されて突設配置され、その口金部１７内において封止構造に設けられることで、これら口金部１７及びその周辺部からリール本体１０内に水等の流体が浸入するのを防止する、いわゆる液密構造に構成されている。
【００１７】
また、上記リール本体１０のバッテリ接続部１６に装着されるバッテリ３０は、ケース本体３１が、電池本体３２が収容される収容部３１１と蓋部３１２で構成される。このケース本体３１を構成する収容部３１１及び蓋部３１２は、例えば合成樹脂材料で形成され、その内部に、例えばリチウムイオン電池等の電池本体３２及び充放電制御用制御部３３が収容されて相互間が接着や溶着等で接合され、密閉構造に合体される。
【００１８】
即ち、上記ケース本体３１の蓋部３１２には、筒状部３１３が上記ケース本体３１の重心Ｇ２の上面（取付け面）の略中央部に設けられる。この筒状部３１３には、その内部に筒状部３１３の上方に開口する取付け穴部３１４が形成され、この取付け穴部３１４に上記電池本体３２及び制御部３３に電気的に接続される接続コネクタ３４の基端部側が接着剤またはパッキン部材３５を介して固定されると共に、接続コネクタ３４が、その支持部を構成する筒状部３１３を介して重心Ｇ２から遠ざかる上方へ向けて突設される。これにより、接続コネクタ３４は、ケース本体３１内に液密状態で位置決めされて固定され、しかも、堅牢に組付けることが可能となる。
【００１９】
接続コネクタ３４は、例えば可撓性を有する非導電性の樹脂材料で形成され、いわゆるソケット型コンセントを構成する一対の凹状接続端子３４１（図２参照）が設けられる。この凹状接続端子３４１は、その基端において、上記制御部３３に電気的に接続される。ここで、接続コネクタ３４は、ケース本体３１の内側面に液密状態で接着により固定されて取付けられた状態で、その先端部側が筒状部３１３から直接突出され、その凹状接続端子３４１が上記制御部３３に電気的に接続されることで、その配線系統の保護が図れて、上記リール本体１０のバッテリ接続部１６への繰り返し着脱操作を安定して行うことが可能となる。
【００２０】
また、上記蓋部３１２の筒状部３１３には、接続コネクタ３４とリール本体１０のバッテリ接続部１６を接続した時の保持手段を構成する、例えばナット部材３７が、接続コネクタ３４の周囲を囲むように回転自在に設けられる。このナット部材３７には、その上端部に鍔状の操作部３７１が設けられ、その下端部が上記接続コネクタ３４の中間部に回転自在に支持される。
【００２１】
ナット部材３７は、接続コネクタ３４と別体に形成され、該接続コネクタ３４が上記リール本体１０のバッテリ接続部１６に装着された状態で、その操作部３７１が回転操作されて上記リール本体１０のバッテリ接続部１６の口金部１７の螺子部１７１に螺合されて締付け操作されると、その下端部が接続コネクタ３４の中間部に係合されていることで、その側壁が蓋部３１２の筒状部３１３に沿ってリール方向に移動案内される。そして、このナット部材３７は、さらにリール方向の移動に連動して接続コネクタ３４をリール方向に押圧して接続コネクタ３４がバッテリ接続部１６に差し込まれ確実に電気的に接続した状態で、上記バッテリ接続部１６の口金部１７の螺子部１７１への螺合が完了され、リール本体１０にバッテリ３０が給電コード等を用いずに直接取付けられる。
【００２２】
ここで、上記バッテリ３０は、その上部側の接続コネクタ３４を有するバッテリ３０の一端部の給電部側が、保持手段のナット部材３７を介してリール本体１０のバッテリ接続部１６に支持されて他端部のケース本体底部３１５側が支持されていない状態となって自由端となる、いわゆる片持ち梁構造に取付けられ、この自由端側より把持空間Ｋに容易に手１００を差し込むことができ、左側板部１０１を容易に把持できる。このバッテリ３０がリール本体１０のバッテリ接続部１６に取付けられた状態においては、把持空間Ｋを介してその両側にそれぞれリール本体１０とバッテリ３０が位置する。そして、リール本体１０の左側板部１０１がリール本体１０の重心Ｇ１とバッテリ３０の重心Ｇ２の間に位置され、この左側板部１０１とバッテリ３０のケース本体３１との間に釣り人の手１００が挿入可能な把持空間Ｋが形成されるため、安定して魚釣装置を把持できる。このバッテリ３０の重心Ｇ２を通る上下方向の軸芯は、図１のようにリール本体１０の取付脚１５の軸に対して交差される方向に伸びている。これにより、バッテリ３０は、底部３１５（自由端）側がリール本体１０から離れるように傾いて取付けられ、バッテリ３０のケース本体３１の側面は、給電部側より底部３１５側がリール本体１０の左側板部１０１から離れるように配される。また、リール本体１０の左側板部１０１の側面１０１ａは、中央側が高く、周縁１０１ｂ側になるにつれて低くなるように傾斜しているため、把持空間Ｋにおけるバッテリ３０のケース本体３１の側面とリール本体１０の左側面部１０１の側面１０１ａとの間隔は、バッテリ３０の底部３１５側（自由端側）になるにつれて大きくなっている。釣り人は、手１００をリール本体１０のバッテリ接続部１６に装着されて片持ち梁構造に支持されたバッテリ３０の、例えば自由端側よりバッテリ３０と左側板部１０１の間の把持空間Ｋに容易に侵入させて、リール本体１０の左側板部１０１を手１００で包み込むようにして該リール本体１０を容易に把持することができる。この時、把持空間Ｋのバッテリ３０の底部３１５側（自由端側）は、広くなっているため、底部３１５と左側板部１０１の間への手１００の差し込みが素早く容易に行える。
【００２３】
また、釣りを行う時は、バッテリ３０は、接続コネクタ（バッテリの給電部）３４が上方側、底部３１５が下方側で、接続コネクタ３４がリール本体１０の前方側へ傾くようにリール本体１０に装着されているため、釣りにおいてよく行われる釣竿先端をやや上方に向けた姿勢をとった時にバッテリ３０の姿勢が略直立した状態に近づいて安定した状態で保持しながら釣りができる。
【００２４】
この際、ナット部材３７は、内側に接続コネクタ３４が挿通されており、その下端部が、接続コネクタ３４の中間部に回転自在に係合されていることにより、ケース本体３１からの抜けが防止されて、該ケース本体３１のリール本体１０への確実な取付けを実現して、該リール本体１０からの離脱を防止する。同時に、ナット部材３７は、接続コネクタ３４とバッテリ接続部１６が接続された状態で、両者間の接続部となるバッテリ接続部１６の接続開口の周囲を覆って口金部１７の螺子部１７１に螺合されることで、ケース本体３１の接続コネクタ３４との間の液密構造を維持しつつ強固な一体構造に連結されて、このバッテリ接続部１６からリール本体１０内に水が浸入するのを防止する。
【００２５】
上記ケース本体３１の接続コネクタ３４を介して給電されるリール本体１０は、そのバッテリ接続部１６に電力が供給されると、上記マイクロコンピュータで構成される制御部（図示せず）が上記スプール駆動用モータ（図示せず）を駆動制御して、上記スプール１１の回転速度が制御され、釣糸の巻取り速度が制御される。同時に、上記制御部（図示せず）は、表示部１３を作動制御する。
【００２６】
上記構成により、ケース本体３１は、接続コネクタ３４を、釣竿２０に取付けられたリール本体１０のバッテリ接続部１６の口金部１７に装着すると、その凹状接続端子３４１内に口金部１７内の凸状接続端子１７２が挿入されて相互間が電気的に接続される。ここで、ケース本体３１は、ナット部材３７の操作部３７１が回転操作されて、該ナット部材３７がリール本体１０の口金部１７の螺子部１７１に螺合されて締付けられると、ナット部材３７の側壁３６が蓋部３１２の筒状部３１３に沿ってリール方向に移動案内され、その下端部が接続コネクタ３４を同方向に付勢した状態で、リール本体１０のバッテリ接続部１６の口金部１７に取付けられる（図３及び図４参照）。
【００２７】
このように、バッテリ３０は、そのケース本体３１の上面の略中央部から上方に向けて突設された接続コネクタ３４がリール本体１０のバッテリ接続部１６に「がた」が規制された状態で装着され、該リール本体１０に対してバランス良く、接続コネクタ（バッテリの給電部）３４をバッテリ接続部（リールの給電部）１６に接続し、電力を供給可能な状態でナット部材３７（保持手段）で接続コネクタ３４を有する一端部で支持され、他端部の底部３１５側をリール本体１０や釣竿２０に支持されない自由端とする片持ち梁構造に組付けられる。
【００２８】
そして、このケース本体３１のリール本体１０への装着状態において、釣り人は、その右手で、リール本体１０の取付脚１５が取付けられた釣竿２０の握り部２０１を把持しながら、その左手１００をリール本体１０の左側板部１０１とバッテリ３０のケース本体３１との間の把持空間Ｋに侵入させてリール本体１０の左側板部１０１を把持して、竿操作が行われる。この際、バッテリ３０の接続コネクタ３４は、ケース本体３１を形成する材料よりも柔らかい材料で形成され、ケース本体３１よりも大きな可撓性を有することで、その損傷等の破損防止が図れて、厳しい釣環境における使用にも耐えることができる。
【００２９】
また、接続コネクタ３４は、竿操作時、ケース本体３１の取付け面（上面）上に配置され，重心Ｇ２の上方にてケース本体３１の上方に向けて突出するように設けられることで、その負荷が小さくでき、この点からも接続コネクタ３４の破損防止が図られている。
【００３０】
ここで、上記釣竿２０及びリール本体１０における把持空間Ｋは、その両端にリール本体１０とバッテリ３０が位置するため、左手１００を差し込んで魚釣装置を持ち上げると、両者の重量を手１００の両側にそれぞれ分けて支えることで、安定して持つことができる。また、通常の手動式魚釣リールと略同様に制限されることなく、いわゆる手持ち感覚での上下誘い操作や巻取り操作等でリール本体１０と一体的に取扱い操作することを許容する。同時に、バッテリ３０の接続コネクタ３４は、ケース本体３１に固定され、ナット部材３７によりリール本体１０に対し、ケース本体３１の「がた」が防止されて取付けられることにより、釣り人は、給電コードを使用しないためこれが邪魔にならないだけでなく、バッテリ３０のケース本体３１が邪魔になることなく、所望の魚釣操作を快適に行うことができると共に、その破損も防止される。
【００３１】
また、釣途中において、ケース本体３１内の電池本体３２の電気エネルギが消耗した場合には、バッテリ３０はリール本体１０に着脱自在に装着されているため、上記装着動作と略逆の操作を行ってバッテリ３０をリール本体１０から離脱させ、その後、予め用意して置いた充電済みの新たなものと、交換使用することにより、長時間にわたるリール使用が容易に可能である。リール本体１０と共に、把持空間をバッテリ３０の重心Ｇ２とリール本体１０の重心Ｇ１との間に配していることで、交換後においても同様に容易な把持操作を行うことができる。
【００３２】
このように、上記魚釣装置は、リール本体１０の左側板部１０１との間に把持空間を持たせて該リール本体１０に対して一端部が支持されて配置され、該リール本体１０のバッテリ接続部１６に電力を供給するバッテリ３０を備えて構成した。
【００３３】
これによれば、リール本体１０の左側板部１０１とバッテリ３０との間の手の差し込みが可能な広さに形成した把持空間Ｋに、釣り人の手１００をバッテリ３０のケース本体３１における自由端である他端部側から侵入させてリール本体１０を把持することにより、把持バランスの採れた所望の把持形態で釣操作を行うことが可能となる。従って、リール本体１０に対してバッテリ３０を介して給電を受けながら、釣姿勢に応じた最適な把持形態を容易に採ることができ、簡便にして容易な把持操作が実現される。
【００３４】
リール本体１０に装着したバッテリ３０は、左側板部１０１に把持空間Ｋを介して併設されており、バッテリ３０は、左側板部１０１の側面１０１ａに沿って位置する。この時、バッテリ３０は、図１のように左側板部１０１の側面１０１ａを正面に見て側面１０１ａとバッテリ３０の接続コネクタ３４側（上端側）が重なり、側面１０１ａとバッテリ３０の側面が向かい合ってバッテリ３０が側面１０１ａの上下方向に横切るようにして左側板部１０１の左側方の領域に位置している。なお、バッテリ接続部１６（給電部）を有する延出部１０３は、左側板部１０１の一部を構成するフレーム１０５と一体的に形成してもよい。なお、バッテリ３０はハンドル操作を邪魔しにくいようにハンドル１２を有しない左側板部１０１側に設けたが、ハンドル１２を有する右側板部１０２側に設けることもできる。
【００３５】
なお、この発明は、上記第１の実施の形態に限ることなく、その他、例えば図５及び図６に示す第２の実施の形態、図７及び図８に示す第３の実施の形態の如く構成することも可能で、いずれの実施の形態においても上記第１の実施の形態と同様の効果を期待することができる。但し、これら図５乃至図８においては、上記図１乃至図４と同一部分について同一符号を付して、その詳細な説明を省略する。
【００３６】
先ず、図５及び図６に示す第２の実施の形態においては、上記第１の実施の形態と略同様に構成されるバッテリ接続部１６ａを、上記リール本体１０の延出部１０３に左側板部１０１より所定の間隔離間された位置に、その接続開口が上記取付脚１５の軸に略直交状に交差され、且つ、リール本体１０の下向き方向に突設させて配置する。そして、このバッテリ接続部１６ａには、上記バッテリ３０の蓋部３１２に突設配置した接続コネクタ３４が装着されると、バッテリ３０が、その一端部が支持され、他方端が自由端となる片持ち梁構造に取付け配置され、左側板部１０１に併設される。なお、延出部１０３によってバッテリ接続部１６ａが左側板部１０１の最も左側へ突出した部分よりもさらに外方（左側方向）に設けられるため、これによって把持空間Ｋを広く設けることができる。
【００３７】
このバッテリ３０をリール本体１０のバッテリ接続部１６ａに取付けた状態においては、リール本体１０の左側板部１０１がリール本体１０の重心Ｇ１とバッテリ３０の重心Ｇ２の間に位置され、この左側板部１０１とバッテリ３０のケース本体３１との間に釣り人の手１００が挿入可能な把持空間Ｋが形成される。このバッテリ３０の重心Ｇ２を通る上下方向の軸芯は、側面１０１ａを正面に見てリール本体１０の取付脚１５の軸に対して直交するように交差される。これにより、釣り人は、手１００をリール本体１０のバッテリ接続部１６ａに装着されて片持ち梁構造に支持されたバッテリ３０の、例えば自由端側より把持空間に侵入させて、リール本体１０の左側板部１０１を手１００で包み込むように該リール本体１０を把持することができ、上記第１の実施の形態と同様の効果が期待され、また、魚釣装置を竿掛け等で保持するとバッテリ３０が略まっすぐ上下方向を向くため接続コネクタ３４の折れ曲がりが防止され破損が防止される。
【００３８】
また、図７及び図８に示す第３の実施の形態においては、リール本体１０の左側板部１０１の周縁部１０１ｂの前方側下面部に下方に突出する延出部１０４を設け、この延出部１０４に同様のバッテリ接続部１６ｂを、その接続開口が、例えば図７のように上記取付脚１５の軸に対して交差されるように下向きで、且つ、竿尻方向に傾斜させて突設配置される。そして、このバッテリ接続部１６ｂには、上記バッテリ３０の蓋部３１２に突設配置した接続コネクタ３４が装着されると、バッテリ３０が、その一端部が支持され、その他端部が自由端となる片持ち梁構造に取付け配置される。
【００３９】
このバッテリ３０をリール本体１０のバッテリ接続部１６ｂに取付けた状態においては、把持空間Ｋを介してその両側にリール本体１０とバッテリ３０が位置する。左側板部１０１の周縁部１０１ｂの下面側とバッテリ３０のケース本体３１との間に釣り人の手１００が挿入可能な把持空間Ｋが形成されるため、安定して魚釣装置を把持できる。このバッテリ３０の重心Ｇ２を通る上下方向の軸芯は、リール本体１０の取付脚１５の軸に対して交差される。これにより、バッテリ３０は、底部３１５（自由端）側がリール本体１０の左側板部１０１の周縁部１０１ｂから離れるように傾いて取付けられ、把持空間Ｋにおけるバッテリ３０のケース本体３１の側面とリール本体１０の左側板部１０１の周縁部１０１ｂの下面側との間隔は、バッテリ３０の底部３１５側（自由端側）になるにつれて大きくなっており、釣り人は、手１００をリール本体１０のバッテリ接続部１６ｂに装着されて片持ち梁構造に支持されたバッテリ３０の、例えば自由端側より把持空間に侵入させて、リール本体１０の左側板部１０１を手１００で包み込むように該リール本体１０を把持することができ、上記第１及び第２の実施の形態と同様の効果が期待される。
【００４０】
リール本体１０に装着したバッテリ３０は，左側板部１０１の周縁部１０１ｂの下面側の把持空間Ｋを介して併設されており、バッテリ３０は、周縁部に沿って位置する。この時、バッテリ３０は、左側板部１０１の周縁部１０１ｂの下面側の下方にこれと向かい合って位置する、左側板部１０１の下方の領域に位置している。したがって、周縁部１０１ｂの下面側を正面に見て、周縁部１０１ｂの下面側とバッテリ３０の接続コネクタ３４側（上端側）は重なり、周縁部１０１ｂの下面側とバッテリ３０の側面が把持空間Ｋを介して併設されることとなる。このように側板部１０１は側面１０１ａに加え、その面が右側板部１０２の方向に変移した周縁部１０１ｂを含む。
【００４１】
また、上記実施の形態では、給電した電力を用いてリール本体１０のスプール駆動用モータを駆動する場合について説明したが、これに限ることなく、その他、リール本体１０内に配される給電を必要とする給電部品に対して電力を供給するように構成することが可能である。
【００４２】
さらに、上記各実施の形態では、左側板部１０１に延出する延出部１０３，１０４を突設したが、これを設けずに，給電部を直接に左側板部１０１に設けてもよく、また、リール本体１０の右側板部１０２にハンドル１２を配し、左側板部１０１に把持空間を有してバッテリ３０を配するように構成した場合で説明したが、左側板部１０１にハンドル１２を配し右側板部１０２に把持空間を有してバッテリ３０を配したり、ハンドル１２を有しないリールにおいては握持するいずれか一方の側板にバッテリ３０を配するなど、この配置構成に限ることなく、構成可能である。
【００４３】
さらに、バッテリ３０をハンドル１２を有する右側板部１０２側に設けることも可能である。
【００４４】
例えば、図７、図８の第３の実施の形態で示した左側板部１０１におけるバッテリ３０の装着構造をハンドル１２を有する右側板部１０２側に採用することができる。
【００４５】
すなわち、右側板部１０２の周縁部（左側板部１０１の周縁部１０１ｂに対応する部分）の下面側にバッテリ接続部１６ｂを設けてバッテリ３０の給電部側を第３の実施の形態と同様に接続して底部３１５側が下向きになるように竿尻方向に傾斜させて自由端となるように装着し、右側板部１０２の周縁部の下面側にバッテリ３０を併設することができる。
【００４６】
この場合、左側板部１０１を握持した手１００がリール本体１０及び釣竿２０の下側を通って右側板部１０２の周縁部の下面側に達するが、右側板部１０２の周縁部の下面側とバッテリ３０の間に把持空間Ｋが形成されるため、この把持空間に手１００を差し込んで右側板部１０２の周縁部の下面側に手１００を添えてリール本体１０を握持することができる。
【００４７】
しかも、バッテリ３０は右側板部１０２の周縁部の下面側の下方の領域に位置するため右側板部１０２のハンドル１２の回動操作の邪魔にならない。
【００４８】
また、この発明は、上記各実施の形態で説明したバッテリ３０の配置構成に限ることなく、その他、この発明の要旨を逸脱しない範囲で種々の配置構成が可能である。
【００４９】
よって、この発明は、上記実施の形態に限ることなく、その他、実施段階ではその要旨を逸脱しない範囲で種々の変形を実施し得ることが可能である。さらに、上記実施の形態には、種々の段階の発明が含まれており、開示される複数の構成要件における適宜な組合せにより種々の発明が抽出され得る。
【００５０】
例えば実施の形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【図面の簡単な説明】
【００５１】
【図１】この発明の第１の実施の形態に係る魚釣装置を示した断面図である。
【図２】図１のバッテリをリール本体から分離させた状態を示した一部断面図である。
【図３】図１を竿尻側から見た状態を示した平面図である。
【図４】図１を竿尻側から見た状態を示した一部断面図である。
【図５】この発明の第２の実施の形態に係る魚釣装置を示した一部断面図である。
【図６】図５を竿尻側から見た状態を示した一部断面図である。
【図７】この発明の第３の実施の形態に係る魚釣装置を示した一部断面図である。
【図８】図７を竿尻側から見た状態を示した平面図である。
【符号の説明】
【００５２】
１０…リール本体、１００…手、１０１…左側板部、１０２…右側板部、１０３，１０４…延出部、１１…スプール、１２…ハンドル、１３…表示部、１４…操作部、１５…取付脚、１６,１６ａ,１６ｂ…バッテリ接続部、１７…口金部、１７１…螺子部、１７２…凸状接続端子、２０…釣竿、２０１…握り部、２１…リールシート、３０…バッテリ、３１…ケース本体、３１１…収容部、３１２…蓋部、３１３…筒状部、３１４…取付け穴部、３２…電池本体、３３…制御部、３４…接続コネクタ、３４１…凹状接続端子、３５…パッキン部材、３６…側壁、３７…ナット部材、３７１…操作部。
【図１】
2006280363.tif 000003
【図２】
2006280363.tif 000004
【図３】
2006280363.tif 000005
【図４】
2006280363.tif 000006
【図５】
2006280363.tif 000007
【図６】
2006280363.tif 000008
【図７】
2006280363.tif 000009
【図８】
2006280363.tif 000010